(57)【特許請求の範囲】
【請求項１】
棒状の軸部の両端部に銛状の係止部を有し、軸部中間部周に二本のロープ抜止片を有し、合成樹脂で各部を全一体に成形した帆立貝養殖用の係止ピンであって、
前記ロープ抜止片の直下から前記係止部側の軸部周にかけて、前記ロープ抜止片の倒れを収容する凹部を設けた、
ことを特徴とする帆立貝養殖用の係止ピン。
【請求項２】
前記凹部の深さは、前記ロープ抜止片の厚さと同等であることを特徴とする請求項１記載の帆立貝養殖用の係止ピン。
【請求項３】
前記凹部の裏側に、該凹部と対称に凹部を設けたことを特徴とする請求項１または請求項２に記載の帆立貝養殖用の係止ピン。
【請求項４】
棒状の軸部の両端部に銛状の係止部を有し、軸部中間部周に二本のロープ抜止片を有し、合成樹脂で各部を全一体に成形した帆立貝養殖用の係止ピンであって、
前記ロープ抜止片の直下の側部から係止部側の軸部周の両側部にかけて、前記ロープ抜止片の倒れを収容する凹部を設けた、
ことを特徴とする帆立貝養殖用の係止ピン。
【請求項５】
棒状の軸部の両端部に銛状の係止部を有し、軸部中間部周に二本のロープ抜止片を有し、合成樹脂で各部を全一体に成形した帆立貝養殖用の係止ピンであって、
前記軸部の前記ロープ抜止片の直下を含む部分には、軸部の長さ方向に長さを有する長孔を幅方向貫通するように設けた、
ことを特徴とする帆立貝養殖用の係止ピン。
【請求項６】
前記長孔の体積は、前記ロープ抜止片の倒れ吸収する体積と同等としたことを特徴とする請求項５記載の帆立貝養殖用の係止ピン。
【請求項７】
前記ロープ抜止片は「ハ」形であることを特徴とする請求項１〜請求項６の何れか１項に記載の帆立貝養殖用の係止ピン。
【発明の詳細な説明】
【技術分野】
【０００１】
本発明は、ロープに係止ピンを介して帆立貝の稚貝を所定スパンで係止して吊り下げ支持し、このロープを海中に投入し、海中で帆立貝の成長を促し、帆立貝を養殖する耳吊り式の帆立貝養殖において、帆立貝をロープに係止し、海中にこのロープを吊り下げて養殖する際に用いる改良された係止ピンに関するものである。
【背景技術】
【０００２】
ロープを横断貫通し、係止した係止ピンの両端部に、帆立貝の耳部に穿孔した係止孔を介して帆立貝を吊り下げ、ロープを海中に投入し、帆立貝を養殖する耳吊り式養殖に用いられる帆立貝養殖用の係止ピンは知られている。
【先行技術文献】
【特許文献】
【０００３】
【特許文献１】特許第３３７５５０６号
【特許文献２】特開２００３−２８９７４３号公報
【特許文献２】特開２００４−００００３５号公報
【０００４】
図２２は、従来の帆立貝養殖用の係止ピンの一例を示す。
係止ピン１０１は細長い軸部１０２の両端の先端部１０３，１０３に係止部１０４，１０４を、中間部に抜止片１０６，１０６を有する。
軸部の先端部１０３，１０３は尖鋭で、先端部に近い軸部の軸方向内方に係止部１０４，１０４を軸方向内方に傾斜して起立するように設け、軸部１０２の両端部は対称的に略∠形で銛状の帆立貝係止部１０４，１０４を形成する。
【０００５】
係止部１０４，１０４は、前記した通り軸方向内方に傾斜して起立しており、軸部１０２の係止部１０４，１０４の軸部１０２側は、係止部１０４，１０４を立ち上がらせた残りの部分として先細り部１０５，１０５が形成される。
軸部１０２の軸方向中間部には、ロープからの抜け止め作用を行う一対の抜止片１０６，１０６を係止部１０４，１０４と同方向に起立突設し、抜止片１０６，１０６は、夫々先端部の係止部１０４，１０４と同方向に、前記係止部に比して緩やかに傾斜して起立し、対称的に向かい合って「ハ」形をなす。
以上の各部は、合成樹脂で全一体に形成されている。
【０００６】
図２３は、ロープに係止ピンを係止し、両端部に帆立貝の稚貝を係止した状態を示し説明図であり、ロープ１１０に係止ピン１０１を通して掛け止めし、ロープには事前に係止ピンが通る掛け止め孔１１１を穿孔し、この掛け止め孔１１１を介して係止ピン１０１の軸部１０２を通し、銛状先端部の係止部１０４の一方は、抜け止め孔１１１に挿入する際、順方向に倒れて先細リ部１０５に収容されて容易に倒れ、円滑にロープに挿入することができる。
【０００７】
爾後、帆立貝１０７の稚貝を、耳片１０８に穿設した係止孔１０９を介して銛光線端部１０３から係止ピン１０１に挿入し、係止部１０４で引っ掛けられて係止され、係止部１０４は返しとなっているので、帆立貝１０７は係止ピン１０１の先端部に係止される。
帆立貝１０７は、軸部１０２の両端部の係止部１０４、１０４に、２個、同時に係止される。
ロープ１１０への係止ピン１０１の掛け止めは、「ハ」形の抜止片１０６，１０６間にロープ１１０が臨み、抜止片１０６，１０６は対称的にロープ方向に傾斜する返しがついていることから、ロープ１１０から抜けることを防止し、両端部の帆立貝１０７，１０７が成長して重量が増加しても、ロープ１１０の係止ピン１０１を保持する。
【０００８】
図２４は、耳吊り式帆立貝養殖を示す説明図である。
図で示した通り、浮き１１２…で海面下に横向き（略水平）に架設された横ロープ１１３に、ロープ１１０…の上端部が結束具を介して、縦向きに吊り下げ支持される各ロープ１１０…には、ロープを貫通・横断するように前記した係止ピン１０１…がロープの長さ方向に所定間隔で係止・保持されており、前記した通り、各係止ピン１０１…の両端部には、帆立貝１０７，１０７が耳片を貫通、係止することで係止、保持されている。
ところで、ロープ１１０は、径が６〜８ｍｍで、長さが１０〜１５ｍであり、７〜８ｃｍ長の係止ピンを、１０〜１３ｃｍピッチでロープにその長さ方向に直交する方向に貫通・保持させ、各係止ピンの両端部に帆立貝１０２の耳片を係止・保持するものである。
【発明の概要】
【発明が解決しようとする課題】
【０００９】
以上の従来の耳吊り式の帆立貝養殖において、生育後の帆立貝は、ロープを海中から引き揚げ、係止ピン１０１…の両側の掛止部１０４，１０４に掛け止められて成長した帆立貝をロープから回収するのは、船上に設置したＶ字形の狭隘部を有する「シゴキ」にロープを挟み込み、モータ等の動力で巻き上げて行う。
その「シゴキ」をロープが通過する際、帆立貝はＶ字狭隘部でしごき落とされ、手前に用意された籠等の容器に収容される。
この時、成長した帆立貝は耳吊りされた当時の孔を修復し、係止ピンの先細り部１０５と掛止部１０４との間で係止ピンの軸部１０２をしっかり咬み込んでいるので、「シゴキ」によってこの軸部１０２が延伸破断され、帆立貝が落下し、収穫となる。
課題は、このときの係止ピン軸部の破断状況によっては、ロープに係止ピンの残滓が残ることになり、ロープに残る残滓を除去する作業が必要となる。
このロープに残される残滓は仕込んだピンの５０％以上にも及び、その除去には大変な労力が費やされることになる。
【００１０】
このように多くの係止ピンの残滓がロープに切れ残るのは、ロープ止め（抜止片１０６）の機能を維持するため、不可避となっている。
即ち、ロープ止めは係止ピンの両側に吊り下げられた帆立貝をバランス良く成長させるために、また、何等かの原因で片方の帆立貝が脱落しても、反対側に残る帆立貝をしっかりロープに掛け止めておくためにも「ハ」の字状に設けられ、それなりに強くしつらえられることとなる。
この結果、ロープ止めは、ロープからの引き抜きに対して、あびせ倒され難く、「シゴキ」による係止ピン軸部の延伸破断に到る引張力より、強い粘り腰をみせた場合に残滓としてロープに残る。
帆立貝収穫後のロープに残留する係止ピンの残滓は、ロープの長さや吊り下げピッチにもよるが、ロープ１本当たり２０〜１００本にも達し、ロープの反復使用のための残滓抜脱はかなりの労力を費やしているのが現状である。
【００１１】
ところで、係止ピン１０１のロープからの抜脱に際し、次のような不都合がある。
図２３で示した通り、係止ピン１０１は、ロープに装着し易く、尚且つロープ抜け止めの機能を有効に果たすためにロープ１１０を挟むように「ハ」の字状であり、ロープからの抜け止め作用を一層確実、強固とするために、抜けを阻止するための「返し」がついており、しかも、抜けにくくするため鈍角に傾斜起立しており、機械、人力等で係止ピン１０１をロープ１１０から抜脱しようとしても抜止片１０６が障害となって抜けないか、極めて抜けにくく、無理に抜脱しようとすると、抜止片１０６が折れて、ロープの掛け止め孔内に残留したりし、本数が多いことと相俟って、係止ピンの抜脱作業が困難且つ面倒である。
【００１２】
本発明の主たる目的とする処は、帆立貝収穫後に、ロープに残留する係止ピンを、機械、或いは人力によっても、容易に抜脱することができるようにし、係止ピンのロープからの抜脱を効率良く、迅速、円滑に行いことができるようにした、改良された係止ピンを、提供することを課題とする。
【００１３】
また、本発明の副次的な目的とする処は、帆立貝の成長に伴ってその重量が増加した際、先端部の係止部近傍の延伸の他に、抜止片近傍でも延伸し、延伸の相乗作用で係止ピンの破断を可及的に防止し、重量が増大した帆立貝を係止、保持性能を向上させ、帆立貝の収穫を向上させることができる改良された係止ピンを提供することをも課題とする。
【課題を解決するための手段】
【００１４】
上記課題を解決するために、請求項１に係る発明は、棒状の軸部の両端部に銛状の係止部を有し、軸部中間部周に二本のロープ抜止片を有し、合成樹脂で各部を全一体に成形した帆立貝養殖用の係止ピンであって、ロープ抜止部の直下から係止部側の軸部周にかけて、ロープ抜止片の倒れを収容する凹部を設けたことを特徴とする。
【００１５】
請求項２に係る発明は、請求項１において、凹部の深さは、ロープ抜止片の厚さと同等であることを特徴とする。
【００１６】
請求項３に係る発明は、請求項１または請求項２において、凹部の裏側に、該凹部と対称に凹部を設けたことを特徴とする。
【００１７】
請求項４に係る発明は、棒状の軸部の両端部に銛状の係止部を有し、軸部中間部周に二本のロープ抜止片を有し、合成樹脂で各部を全一体に成形した帆立貝養殖用の係止ピンであって、ロープ抜止片の直下の側部から係止部側の軸部周の両側部にかけて、ロープ抜止片の倒れを収容する凹部を設けたことを特徴とする。
【００１８】
請求項５に係る発明は、棒状の軸部の両端部に銛状の係止部を有し、軸部中間部周に二本のロープ抜止片を有し、合成樹脂で各部を全一体に成形した帆立貝養殖用の係止ピンであって、軸部のロープ抜止片の直下を含む部分には、軸部の長さ方向に長さを有する長孔を幅方向貫通するように設けたことを特徴とする。
【００１９】
請求項６に係る発明は、請求項５において、長孔の体積は、ロープ抜止片の倒れ吸収する体積と同等としたことを特徴とする。
【００２０】
請求項７に係る発明は、請求項１〜請求項６の何れか１項において、ロープ抜止片は「ハ」形であることを特徴とする。
【発明の効果】
【００２１】
本発明の請求項１に係る発明では、ロープから係止ピンを抜脱するに際し、抜止片が掛け止め孔にかかった際、ロープ抜止片の倒れを収容する凹部に抜止片が倒れて収容され、ロープの掛け止め孔に対し、掛け止め孔に引っ掛かることなく、抵抗が少なく掛け止め孔を通過することができ、ロープに残留した係止ピンを容易に抜脱することができる。
従って、帆立貝を外して収穫した後の残留係止ピンのロープからの抜脱を効率良く、円滑に行うことができる。
【００２２】
また、養殖時に、帆立貝の成長に伴ってその重量が増加した際に、先端部の係止部近傍の先細り部の延伸と共に、軸部の抜止片近傍の小径となった凹部を有する部分が延伸し、延伸の相乗作用で係止ピンの破断を可及的に防止し、重量が増大した帆立貝を係止、保持性能を向上させることができる。
従って、帆立貝の収穫を向上させることができる。
【００２３】
本発明の請求項２に係る発明では、凹部の深さがロープ抜止片の厚さと同等なので、抜止片が掛け止め孔にかかった際に、ロープ抜止片の倒れを凹部で収容することが確実になされ、ロープの掛け止め孔に対し、掛け止め孔に引っ掛かることなく、抵抗が少なく掛け止め孔を通過させ、ロープに残留した係止ピンの抜脱の容易化の効果の実効性を高めることができる。
【００２４】
本発明の請求項３に係る発明では、凹部の裏側に、該凹部と対称に凹部を設けたので、ロープに残留した係止ピンの抜脱の容易化の効果の実効性を高めることができると共に、軸部の抜止片近傍の小径となった凹部が対称的に軸部の上下に有することとなり、係止ピンの抜止片近傍の延伸が一層円滑に、効果的になされ、係止ピンの破断防止作用が一層向上し、重量が増大する帆立貝の係止、保持性能を一層向上させることができる。
【００２５】
本発明の請求項４に係る発明では、係止ピンのロープ抜止片の係止部直下の側部から係止部側の軸部周の両側部にかけて、ロープ抜止部の倒れを収容する凹部を設けたので、ロープから係止ピンを抜脱するに際し、抜止片が掛け止め孔にかかった際、ロープ抜止片の倒れを収容する凹部に抜止片が回り込んで倒れ、撓みを許容し、ロープの掛け止め孔に対し、掛け止め孔に引っ掛かることなく、抵抗が少なく掛け止め孔を通過することができ、ロープに残留した係止ピンを容易に抜脱することができる。
従って、帆立貝を外して収穫した後の残留係止ピンのロープからの抜脱を効率良く、円滑に行うことができる。
【００２６】
また、養殖時に、帆立貝の成長に伴ってその重量が増加した際に、先端部の係止部近傍の先細り部の延伸と共に、軸部の抜止片近傍の小径となった両側の凹部を有する部分が延伸し、延伸の相乗作用で係止ピンの破断を可及的に防止し、重量が増大した帆立貝を係止、保持性能を向上させることができる。
従って、帆立貝の収穫を向上させることができる。
【００２７】
本発明の請求項５に係る発明では、ロープから係止ピンを抜脱するに際し、抜止片が掛け止め孔にかかった際、ロープ抜止片の倒れ、撓みを、軸部の長さ方向に長さを有する長孔で許容し、撓んだ部分で収容し、ロープの掛け止め孔に対し、掛け止め孔に引っ掛かることなく、抵抗が少なく掛け止め孔を通過することができ、ロープに残留した係止ピンを容易に抜脱することができる。
従って、帆立貝を外して収穫した後の残留係止ピンのロープからの抜脱を効率良く、円滑に行うことができる。
【００２８】
また、養殖時に、帆立貝の成長に伴ってその重量が増加した際に、先端部の係止部近傍の先細り部の延伸と共に、軸部のロープ抜止片の直下を含む部分に設けた長孔部分が延伸し、延伸の相乗作用で係止ピンの破断を可及的に防止し、重量が増大した帆立貝を係止、保持性能を向上させることができる。
従って、帆立貝の収穫を向上させることができる。
【００２９】
請求項６に係る発明は、軸部に設けた長孔の体積をロープ抜止片の倒れ吸収する体積としたので、抜止片が掛け止め孔にかかった際に、ロープ抜止片の倒れ、撓みを長孔で許容し、収容することが確実になされ、ロープの掛け止め孔に対し、掛け止め孔に引っ掛かることなく、抵抗が少なく掛け止め孔を通過させ、ロープに残留した係止ピンの抜脱の容易化の効果の実効性を高めることができる。
【００３０】
本発明の請求項７に係る発明では、ロープ抜止片は「ハ」形なので、ロープの抜け止め効果が高く、係止ピンのロープへの保持を確実に行うことができると共に、一方、ロープのからの抜脱に際し、凹部や長孔により返しのある抜止片の撓み、倒れを許容し、収容することができ、高い抜け止め効果と抜脱の容易化、という相反する要求をマッチングさせることができる。
【図面の簡単な説明】
【００３１】
【図１】本発明の第１実施形態に係る係止ピンの側面図である。
【図２】図１の２−２線の拡大断面図である。
【図３】図１の３−３線の拡大断面図である。
【図４】図１の係止ピンの説明的な斜視図である。
【図５】係止ピンをロープに通し、両端部に帆立貝を係止し、海中に垂らして養殖を行う状態を示した拡大説明図である。
【図６】ロープから係止ピンを抜脱する際の説明図であり、（ａ）は抜脱前の状態を示す図、（ｂ）は抜止片がロープの掛止孔にかかる直前の状態の図、（ｃ）は抜止片にかかった初期の状態を示す図、（ｄ）は抜止片が掛止孔に侵入し、撓んで凹部に収容された状態の図、（ｅ）は抜止片が掛止孔を通過した状態を示す図である。
【図７】連鎖状に連結した状態で成形した本発明に係る係止を示した図である。
【図８】多数の係止ピンの軸部を平行に並べ、軸部の先端部（両端部）を軸部と直交する方向に配置した平行する棒状の枠材で連結し、梯子状とした係止ピンを示す図である。
【図９】本発明の第２実施形態に係る係止ピンの側面図である。
【図１０】図９の１０−１０線の拡大断面図である。
【図１１】図９の１１−１１線の拡大断面図である。
【図１２】図９の係止ピンの説明的な斜視図である。
【図１３】図１３は、第２実施形態に係る係止ピンをロープに通し、両端部に帆立貝を係止し、海中に垂らして養殖を行う状態を示した拡大説明図である。
【図１４】第２実施形態におけるロープから係止ピンを抜脱する際の説明図であり、（ａ）は抜脱前の状態を示す図、（ｂ）は抜止片がロープの掛止孔にかかる直前の状態の図、（ｃ）は抜止片にかかった初期の状態を示す図、（ｄ）は抜止片が掛止孔に侵入し、撓んで凹部に収容された状態の図、（ｅ）は抜止片が掛止孔を通過した状態を示す図である。
【図１５】本発明の第３実施形態に係る係止ピンの側面図である。
【図１６】図１５の１６−１６線の拡大断面図である。
【図１７】図１５の１７−１７線の拡大断面図である。
【図１８】図１５の係止ピン説明的な斜視図である。
【図１９】本発明の第４実施形態に係る係止ピンの側面図である。
【図２０】図１９の２０−２０線の拡大断面図である。
【図２１】図１９の係止ピン説明的な斜視図である。
【図２２】従来の帆立貝養殖用の係止ピンの一例を示す図である。
【図２３】ロープに係止ピンを係止し、両端部に帆立貝の稚貝を係止した状態を示し説明図である。
【図２４】耳吊り式帆立貝養殖を示す説明図である。
【発明を実施するための形態】
【００３２】
本発明の実施の形態を添付図に基づいて以下に説明する。なお、図面は符号の向きに見るものとする。
【００３３】
図１は、本発明の第１実施形態に係る係止ピンの側面図、図２は、図１の２−２線の拡大断面図、図３は、図１の３−３線の拡大断面図、図４は、図１の係止ピン説明的な斜視図である。
係止ピン１０は、断面円形の細長い軸部１１の両端部が、尖鋭であり、且つ丸い先端部１２，１２を形成し、先端部１２，１２の軸方向の直近内方に軸方向内方に向かい若干拡径するように先部１３，１３を連続して形成し、先部１３，１３の軸方向内端部に、径方向外方に係止片１５，１５を＜、＞形に上下に突設する。
先部１３，１３の両側部には、径方向内方に湾曲して潜る凹部１４，１４が形成されており、ロープの止め孔への先部１３の侵入を容易化した。
【００３４】
係止片１５，１５は、軸方向内方に先端から後端にかけて上側が上傾し、下側が下傾し、側面視で前記した通り＜形、＞形で銛状の係止部１５，１５を軸部１１の両端部に形成する。
係止片は、上記した＜形、＞形に代え、前記した従来のように∠形、これの対称形状としても良い。
【００３５】
係止ピン１０の軸部１１の前記した係止部１５，１５を有する部分は、先端部側が細く、軸方向の内方にその径が順次拡大する軸方向にテーパー状の長い頸部１６，１６を連続して形成し、頸部１６，１６の下流部は軸部１１の外径と合流し、同径となる。
従って、係止片１５，１５は、一方がロープの孔に係止ピン先端部を挿入した際、順方向に倒れ、係止片１５，１５の一方が頸部１６，１６の一方に収容され、ロープ孔の通過が円滑、容易となる。
【００３６】
以上の係止ピン１０の軸部１１の長さ方向中間部には、軸方向に間隔を開けて、ロープから係止ピン１０の抜け止めを行う２本の抜止片１７，１７を径方向外方で同じ側に突設する。
抜止片１７，１７は、互いに向かい合って一方１７Ａが反対側の係止部１５Ｂ方向に傾斜し、他方１７Ｂが反対側の係止部１５Ａに向かって傾斜している。
抜止片１７，１７は対称的に向かいあって傾斜して「ハ」形に配置されており、抜止片１７，１７間のロープ保持部１８は軸部１１の一般部と同様に丸棒状をなす。
【００３７】
以上の係止ピン１０の軸部１１周であって、前記した「ハ」形に配置した各係止片１７，１７の直下、具体的には係止片１７，１７の軸方向先端部方向の辺１７ａ，１７ａの直下から軸方向の先端部方向にかけて軸方向に長さを有する凹部１９，１９を設ける。
凹部１９，１９は、軸方向の端部１９ａ，１９ａが軸方向に傾斜し、軸方向前後の端部が対称的に上傾し、係止片１７，１７の何れかが凹部１９，１９方向に倒れる際、係止片１７，１７を倒れを許容し、収容する凹部とする。
【００３８】
以上の係止ピン１０は、各部全一体に合成樹脂で成形する。
素材としては、例えば、ナイロン、具体的には、６６ナイロンを用いた。
６６ナイロンを用いた理由であるが、係止ピンとして用い、帆立貝を係止して海中に侵浸した際、海中で水分を吸収し、これにより少し柔らかくなり、また、伸ばすと約３倍程度延伸するためである。
【００３９】
ところで、帆立貝の養殖では、海中にロープで垂らした帆立貝は経時的に成長して、重量が重くなる。
この結果、係止ピンは延伸し、これにより、帆立貝の重量が増大しても破断することなく、延伸して帆立貝を長期間に亘り係止し、帆立貝の脱落を可及的に防止し、収穫効率を向上させることが可能であるからである。
【００４０】
図４では、係止ピン１０の全体を説明的な斜視図として示したものであり、これにより、係止ピンの構造を一層明確化したものである。
図５は、係止ピンをロープに通し、両端部に帆立貝を係止し、海中に垂らして養殖を行う状態を示した拡大説明図である。
【００４１】
ロープ９０には、係止ピン１０を通す掛止孔９１を、ロープの径方向を横断するように設けておき、掛止ピン１０を掛止孔９１に通す。
掛止ピン１０を掛止孔に挿通する際、一方の先端部１２から係止片１５が撓んで倒れ、この側の頸部１６に倒れ、撓みを許容され、収容されて掛止孔９１を通り、更に、この側の抜止片１７が係止ピン１０の進行で倒れ、撓曲し、ロープ保持部１８と重なって圧入に近い状態でロープ掛止孔９１を通り、ロープ９０は「ハ」形の一対の抜止片１７，１７間のロープ保持部１８間に臨むこととなる。
【００４２】
ロープ９０に挿通され、抜止片１７，１７で保持された係止ピン１０の両端部には、帆立貝９２，９２を係止、保持する。
帆立貝９２，９２は耳片９３，９３に図２３のように穿孔しておき、耳片の係止孔に係止片１５，１５を通し、係止片１５，１５は挿入が順方向であり、且つ頸部１６，１６で係止片の撓みを容易に許容するので、円滑に倒れ、撓曲し、係止片１５，１５は耳片の係止孔を通過した時点で係止片１５，１５は復元し、抜け方向に返しが付けられているので、帆立貝９２，９２の耳片９３，９３を確実に係止ピン両先端部に係止、保持する。
【００４３】
係止ピン１０のロープ９０への保持は、抜止片１７，１７が、図５で明らかなように、抜け方向に対し、抜け方向とは反対方向に返しが付されている。
このため、ロープ９０の掛止孔９１の両周辺部を挟み込むように抜止片１７，１７は接触し、係止ピン１０を抜けないように保持する。
【００４４】
図５は、ロープ９０に係止ピン１０を掛止し、帆立貝９２，９２を係止ピン１０の両端部の係止片１５，１５で保持し、ロープを海中に垂らして養殖を行うものであるが、経時的に帆立貝は成長し、外径・重量が増加する。
この成長に伴って係止ピン１０の軸部１１への荷重は増大し、軸部１１への荷重は抜止片１７，１７の軸方向外方に設けた前記の凹部１９，１９に作用するが、凹部１９，１９は大径の軸部一般部に比較して容易に延伸し、凹部１９，１９が延伸することで軸部１１の折れや破断を回避することができる。
【００４５】
このように、係止ピン１０は、凹部１１９，１９を設けたので、この小径部となる凹部によりこの部分が容易に延伸することとなる。
これにより、成長しつつあり、また、成長後、収穫までの間、重量が増加する帆立貝を、長期に亘り保持させることができ、係止ピンの折れや破断に起因する帆立貝の脱落を可及的に防止し、養殖効率、収穫効率を向上させることができる。
【００４６】
帆立貝の生育後これを収穫する。
収穫は、海中からロープを引き揚げ、係止ピン１０の両端部に係止した生育後の帆立貝を銛状の係止片１５，１５から引き抜く。
係止片１５，１５の基部の頸部１６，１６は、先端部が細く、軸方向内方に径が太くなってはいくが、この部分で延伸し、係止片１５，１５の返しで、係止片１５，１５から抜脱し難い場合もあるが、頸部１６，１６の延伸で紐状となり、容易に破断することで、帆立貝を係止片から取り外すこともできる。
【００４７】
帆立貝の収穫、回収後、係止ピン１０がロープ９０に残留する。
残留ピンの数は、ロープ１本当たり１００本〜１５０本以上にも達する（ご教示下さい）。
ロープを再使用する際、この残留ピンの除去が、前記した通り大きな問題となる。
本発明では、上記した構造により、残留係止ピン１０の抜脱、除去が容易、且つ確実に行うことができる。
以下に、それを説明する。
【００４８】
図６は、ロープから係止ピンを抜脱する際の説明図であり、（ａ）は抜脱前の状態を示す図、（ｂ）は抜止片がロープの掛止孔にかかる直前の状態の図、（ｃ）は抜止片にかかった初期の状態を示す図、（ｄ）は抜止片が掛止孔に侵入し、撓んで凹部に収容された状態の図、（ｅ）は抜止片が掛止孔を通過した状態を示す図である。
【００４９】
図６（ａ）で、帆立貝抜脱後の掛止ピンを示しているが、便宜上係止ピン１０を図１の状態で示しているが、実際には、係止片１５，１５が破断したり、頸部１６，１６が延伸した状態であったり、延びきっていたりして係止片１５，１５及び頸部１６，１６の状態は千差万別なので、便宜上図１の状態で示した。
図６の（ａ）の係止ピン１０を矢印イの方向に引き抜く。
【００５０】
図６の（ｂ）のようにロープ９０の掛止孔９１内で係止ピン１０の軸部１１は摺動し、矢印イの方向に返しのある抜止片１７Ａの先端部がロープ９１の掛止孔９１の周辺部に当たり、矢印イ方向への摺動で掛止孔周部への当接で抜止片１７Ａは起立し、掛止孔９１周縁部への抜止片１７Ａの当接で抜止片１７Ａは摺動方向（抜き方向）とは反対方向で、直近の凹部１９Ａ方向に撓曲する。
これを６の（ｃ）で示した。
【００５１】
引き抜き（摺動）の続行で掛止孔９１内で抜止片１７Ａは更に撓んで倒れ、凹部１９Ａ内に倒れた抜止片１７Ａは図６の（ｄ）で示したように収容され、抜止片１７Ａは掛止孔９１内に抵抗となることは無いか、あっても小さい。
掛止孔９１内を係止片１７Ａが図６の（ｄ）の状態で通過し、掛止孔９１内を通過後は、抜止片１７Ａは掛止孔の拘束を解かれ、復元しようとするが、実際には、掛止孔９１内の通過の際の撓み、変形で幾分返しのある方向とは反対方向に癖がついた状態となるであろう。
【００５２】
以上のように、抜止片１７Ａは、ロープの掛止孔９１からの抜脱に際し、円滑且つ容易に抜き出すことができる。
従って、ロープから係止ピンを抜脱を効率良く、迅速に、円滑且つ残滓を残すことなく抜脱、除去することができる。
係止ピン１０を矢印イの方向とは反対方向引き抜いたとしても、同様である。
【００５３】
図７は、連鎖状に帯状に連結した状態で成形した本発明に係る係止ピン１０…を示した図である。
係止ピン１０…は、相互に平行の状態で、軸部１１が所定ピッチ間隔を開けて連鎖状に、帯状に連結した状態で成形されており、平行に配置された係止ピン１０…は、一の係止ピン１０−１の抜止片１７，１７の先端部が、隣接する他の係止ピン１０−２の軸部１１の底面に連結部２０，２０で連結し、同様に多数の係止ピン１０…が連結部２０，２０と抜止片１７，１７で相互に連結している。
【００５４】
これにより、紙面の左右方向に連続して連結し、帯状の連鎖状の係止ピン群を構成し、連結部２０，２０は薄肉で幅狭とすることで、ロール状に巻回して需用者に提供する。
以上の帯状、ロール状の係止ピン群１０Ａは、連結部２０，２０を切断して１本の独立した係止ピン１０を得、上記したようにロープに通し、帆立貝の掛止を行うものである。
【００５５】
図８は、多数の係止ピン１０…の軸部を平行に並べ、軸部１１の先端部１２，１２（両端部）を軸部と直交する方向に配置した平行する棒状の枠材２１．２１で連結し、梯子状とした係止ピンを示す図である。
梯子状の係止ピン群１０Ｂは、軸部１１の両端部（先端部１２，１２）を枠材２１，２１から取り外し、１本の独立した係止ピン１０を得て、上記したようにロープに通し、帆立貝の掛止を行うものである。
【００５６】
図９は、本発明の第２実施形態に係る係止ピンの側面図、図１０は、図９の１０−１０線の拡大断面図、図１１は、図９の１１−１１線の拡大断面図、図１２は、図９の係止ピンの説明的な斜視図である。
係止ピン５０の基本的な構造は、前記した第１実施形態と同じなので、同一部分には同一符号を付し、詳細な説明は省略する。
即ち５０は係止ピン、１１は軸部、１２，１２は両端部の先端部、１３，１３は先部、１５，１５は係止片、１６，１６は頸部、１４，１４は凹部である。
【００５７】
本実施形態では軸部１１に、前記した第１実施形態の凹部１９を備えず、軸部１１の径は頸部１６，１６の軸方向内方の部分は、本来の外径である。
軸部１１には、前記したと同様に抜止片３７，３７が「ハ」形に対称的に向かいあって傾斜して突設されており、抜止片３７，３７間のロープ保持部１８は、軸部１１の他の部分、即ち、一般部と同径であって丸棒状をなす。
【００５８】
以上の係止ピン５０の軸部１１には、前記抜止片３７，３７を突設した部分の中心部に、軸方向に長さを有する長孔３８，３８を設ける。
長孔３８，３８は、軸部１１の抜止片３７，３７の直下で、軸方向に長さを有するように設けられており、図１１に示すように抜止片３７，３７と直交する方向に軸部１１を貫通して設けられる。
【００５９】
長孔３８，３８の体積であるが、抜止片３７，３７が軸周で倒れた際、抜止片３７，３７の倒れ吸収する体積と同等とし、或いは同等以下、更には同等以上でも良く、要すれば、抜止片３７，３７の倒れによる変形を吸収し得る体積、或いはこれに近い体積であれば良い。
【００６０】
図１２では、係止ピン５０の全体を説明的な斜視図として示したものであり、これにより、第２実施形態に係る係止ピンの構造を一層明確化したものである。
図１３は、係止ピンをロープに通し、両端部に帆立貝を係止し、海中に垂らして養殖を行う状態を示した拡大説明図で、第１実施形態における図５と同様の図である。
【００６１】
９０はロープ、９１は係止ピン５０を通す掛止孔９１、９２，９２は帆立貝、９３，９３は帆立貝の耳片である。
係止ピン５０のロープ９０への保持は、抜止片３７，３７が、図１３で明らかなように、抜け方向に対し、抜け方向とは反対方向に返しが付されているので、ロープ９０の掛止孔９１の両周辺部を挟み込むように抜止片３７，３７は接触し、係止ピン１０を抜けないように保持することは、第１実施形態と同様である。
【００６２】
前述のように、ロープ９０に係止ピン５０を掛止し、帆立貝９２，９２を係止ピン５０の両端部の係止片１５，１５で保持し、ロープを海中に垂らして養殖を行うものであるが、経時的に帆立貝は成長し、外径・重量が増加する。
この成長に伴って係止ピン５０の軸部１１への荷重は増大し、軸部１１への荷重は抜止片３７，３７の直下に設けた長孔３８，３８に作用するが、この部分の断面積は図１１のように軸部一般部に比較して容易に延伸し、長孔３８，３８を有する部分が延伸することで軸部１１の折れや破断を回避することができる。
【００６３】
このように、係止ピン５０は、長孔３８，３８を軸部１１に設けたので、この部分が容易に延伸することとなり、成長しつつあり、また、成長後、収穫までの間、重量が増加する帆立貝を、長期に亘り保持させることができ、係止ピンの折れや破断に起因する帆立貝の脱落を可及的に防止し、養殖効率、収穫効率を向上させることができる。
【００６４】
帆立貝の生育後、海中からロープを引き揚げ、生育後の帆立貝を銛状の係止片１５，１５から引き抜くが、上述したように、係止片１５，１５の基部の頸部１６，１６は、先端部が細く、軸方向内方に径が太くなってはいくが、この部分で延伸し、係止片１５，１５の返しで、係止片１５，１５から抜脱し難い場合もあるが、頸部１６，１６の延伸で紐状となり、容易に破断することで、帆立貝を係止片から取り外すこともできる。
【００６５】
図１４は、第２実施形態におけるロープから係止ピンを抜脱する際の説明図であり、（ａ）は抜脱前の状態を示す図、（ｂ）は抜止片がロープの掛止孔にかかる直前の状態の図、（ｃ）は抜止片にかかった初期の状態を示す図、（ｄ）は抜止片が掛止孔に侵入し、撓んで凹部に収容された状態の図、（ｅ）は抜止片が掛止孔を通過した状態を示す図である。
【００６６】
図１４（ａ）で、帆立貝抜脱後の掛止ピンを示しているが、実際には、係止片１５，１５が破断したり、頸部１６，１６が延伸した状態であったり、長孔３８を有する部分が延びきっていたりしる場合もあり、係止ピン５０状態は千差万別であるが、便宜上図９の状態で示している。
図１４の（ａ）の係止ピン５０を矢印イの方向に引き抜く。
【００６７】
図１４の（ｂ）のようにロープ９０の掛止孔９１内で係止ピン５０の軸部１１は摺動し、矢印イの方向に返しのある抜止片３７Ａの先端部がロープ９１の掛止孔９１の周辺部に当たり、矢印イ方向への摺動で掛止孔周部への当接で抜止片３７Ａは起立し、掛止孔９１周縁部への抜止片３７Ａの当接で抜止片３７Ａは摺動方向（抜き方向）とは反対方向に撓曲する。
これを図１４の（ｃ）で示した。この状態で、当該抜止片３７Ａの直下にある長孔３８Ａロープ側に臨む部分は内側に撓み、他折れを吸収する。
【００６８】
引き抜き（摺動）の続行で掛止孔９１内で抜止片３７Ａは更に撓んで倒れ、抜止片３７Ａの倒れで長孔３８Ａは軸部１１の径方向内方に撓んで吸収し、図１４の（ｄ）で示したよう抜止片３７Ａを含む軸部１１は、長孔３８Ａ部分の撓みでロープ９０の掛止孔９１内を円滑に通過することとなる。
【００６９】
ところで、実際には、長孔３８の部分は延伸し、紐状に変形している場合もあり、抜止片３７のロープ９０の掛止孔９１内の通過が一層容易に、円滑になされる場合もある。
掛止孔９１内を係止片３７Ａが図１４の（ｄ）の状態で通過し、掛止孔９１内を通過後は、抜止片３７Ａは掛止孔の拘束を解かれ、復元しようとするが、実際には、掛止孔９１内の通過の際の撓み、変形で幾分返しのある方向とは反対方向に癖がついた状態となるであろう。
【００７０】
以上のように、第２実施形態の抜止片３７においても、長孔３８により、ロープの掛止孔９１からの抜脱に際し、円滑且つ容易に抜き出すことができる。
従って、ロープから係止ピンを抜脱を効率良く、迅速に、円滑且つ残滓を残すことなく抜脱、除去することができる。
係止ピン５０を矢印イの方向とは反対方向引き抜いたとしても、同様である。
【００７１】
図１５、本発明の第３実施形態に係る係止ピンの側面図、図１６は、図１５の１６−１６線の拡大断面図、図１７は、図１５の１７−１７線の拡大断面図、図１８は、図１５の係止ピン説明的な斜視図である。
【００７２】
係止ピン４０の基本的な構造は、前記した第１実施形態と同じなので、同一部分には同一符号を付し、詳細な説明は省略する。
即ち４０は係止ピン、１１は軸部、１２，１２は両端部の先端部、１３，１３は先部、１４，１４は凹部、１５，１５      は係止片、１６，１６は頸部である。
【００７３】
本実施の形態では、軸部１１の外周に「ハ」形に突設した抜止片４７，４７の軸方向端部方向に上下に潜った凹部４８，４９を夫々設け、抜止片４７，４７間の軸部１８及び凹部４８，４９を設けた部分以外の部分は、頸部１６を除いて一般部として同じ径とした。
図１８では、係止ピン４０の全体を説明的な斜視図として示したものであり、これにより、第３実施形態に係る係止ピンの構造を一層明確化したものである。
【００７４】
本実施の形態によれば、「ハ」形に突設した抜止片４７，４７の軸方向端部方向に上下に潜った凹部４８，４９を設けたので、抜止片４７がロープ９０の掛止孔９１を通過する際に前述のように倒れるが、この倒れを凹部４８，４９で吸収し、また、凹部４８，４９の部分で細くなっているので、この部分で延び、過荷重の際の折れを防止することは前記した実施の形態と同様である。
【００７５】
図１９は、本発明の第４実施形態に係る係止ピンの側面図、図２０は、図１９の２０−２０線の拡大断面図、図２１は、図１９の係止ピン説明的な斜視図である。
【００７６】
係止ピン５０の基本的な構造は、前記した第１実施形態と同じなので、同一部分には同一符号を付し、詳細な説明は省略する。
即ち５０は係止ピン、１１は軸部、１２，１２は両端部の先端部、１３，１３は先部、１４，１４は凹部、１５，１５は係止片、１６，１６は頸部である。
【００７７】
本実施の形態では、軸部１１の外周に「ハ」形に突設した抜止片５７，５７の軸方向端部方向の両側に、軸方向に長さを有し、両側方の内方に潜った凹部５８，５９を夫々設けたものである。
抜止片５７，５７間の軸部１８及び凹部５８，５９を設けた部分以外の部分は、頸部１６を除いて一般部として同じ径とした。
図２１では、係止ピン５０の全体を説明的な斜視図として示したものであり、これにより、第４実施形態に係る係止ピンの構造を一層明確化したものである。
【００７８】
本実施の形態によれば、「ハ」形に突設した抜止片４７，４７の軸方向端部方向に両側に潜った凹部５８，５９を設けたので、抜止片５７がロープ９０の掛止孔９１を通過する際に前述のように倒れるが、この倒れを凹部５８，５９の変形で吸収し、また、凹部５８，５９の部分で細くなっているので、この部分で延び、過荷重の際の折れを防止することは前記した実施の形態と同様である。
【産業上の利用可能性】
【００７９】
本発明は、所謂耳吊り式の帆立貝の養殖に利用することができる。
【符号の説明】
【００８０】
１０，３０，４０，５０…係止ピン、１１…軸部、１２…先端部、１５…係止部、１７，３７，４７，５７…ロープ抜止片、１９…凹部、３８…長孔、４８，４９…上下の凹部、５８，５９…両側の凹部、９０…ロープ、９１…ロープの掛止孔、９２…帆立貝、９３…帆立貝の耳片。
【図１】
0005639851.tif 000002
【図２】
0005639851.tif 000003
【図３】
0005639851.tif 000004
【図４】
0005639851.tif 000005
【図５】
0005639851.tif 000006
【図６】
0005639851.tif 000007
【図７】
0005639851.tif 000008
【図８】
0005639851.tif 000009
【図９】
0005639851.tif 000010
【図１０】
0005639851.tif 000011
【図１１】
0005639851.tif 000012
【図１２】
0005639851.tif 000013
【図１３】
0005639851.tif 000014
【図１４】
0005639851.tif 000015
【図１５】
0005639851.tif 000016
【図１６】
0005639851.tif 000017
【図１７】
0005639851.tif 000018
【図１８】
0005639851.tif 000019
【図１９】
0005639851.tif 000020
【図２０】
0005639851.tif 000021
【図２１】
0005639851.tif 000022
【図２２】
0005639851.tif 000023
【図２３】
0005639851.tif 000024
【図２４】
0005639851.tif 000025